(57)【要約】【課題】  犯人による自動ドアの損壊を事前に防止し、別途のセンサや判別装置等を設けることな、自動ドアの既存センサを共用することにより、装置全体の構成と取付設置が極めて簡単にできる自動ドアの防犯装置を提供することができる。【解決手段】  ドア外側の感知エリア内に人が入ったことを感知する人感センサの感知により開閉する自動ドアにおいて、自動ドア近辺に人が存在することを感知してドアを解放状態に維持するためのビームセンサを有し、自動ドアモードと防犯モードとを切り替えるモード切替スイッチを設け、前記モード切替スイッチが防犯モードのときにおいて、前記人感センサのＯＮにより作動する威嚇装置及び前記ビームセンサＯＮにより作動する警報装置とからなる。【選択図】図４
2012036710.tif 000002
【特許請求の範囲】
【請求項１】
ドア外側の感知エリア内に人が入ったことを感知する人感センサのＯＮ・ＯＦＦ動作により開閉する自動ドアにおいて、自動ドア開閉位置に近接するドア外側面に沿って設けていて解放するドア近辺に人が存在することを感知してドアを解放状態に維持するためのビームセンサを有し、自動ドアモードと防犯モードとを切り替えるモード切替スイッチを設け、前記モード切替スイッチが防犯モードのときにおいて、前記人感センサのＯＮにより作動する威嚇装置及び前記ビームセンサＯＮにより作動する警報装置とからなる自動ドアの防犯装置。
【発明の詳細な説明】
【発明の詳細な説明】
【技術分野】
【０００１】  本発明は、自動ドアの上方に人の入退出を感知する人感センサと、ドア開閉時に人がドア間に挟まれるのを防止する安全装置のビームセンサとを利用して、前記センサ感知により威嚇装置及び警報装置を作動させて犯人を退散させることにより、犯人による自動ドアの損壊を事前に防止するようにした自動ドアの防犯装置に関するものである。
【背景技術】
【０００２】  例えば、特許文献１には、「ドアの開閉操作時の位置検出用として出力されるパルス信号を利用するとともに、ドアコントローラにより制御される電気錠の制御状態によって、防犯対策に必要な警報信号の生成要否をドアコントローラが判断する。ドアコントローラは、警報信号の生成要と判断した時の警報信号を生成してこれを送信する。具体的には、電気錠が施錠状態にあり、この状態をドアコントローラが認識しているにもかかわらずパルス信号が所定の数だけ計数されることで、不審者が電気錠を例えば強引に解錠、或いは損壊してドアを開放している状況にあると考えて警戒信号を生成もので、部品点数の削減やコストの削減、また作業効率の改善を図ることを可能とし、さらには防犯対策を施す対象を広げることを可能とする自動ドア装置及び自動ドア装置のドアコントローラにおける警報信号生成出力方法」が記載されている。【０００３】  そして、「ドアの開閉動作時のブレーキ位置、全開位置、全閉位置の検出用として前記ドアを開閉する駆動機構のモータに取り付けられたセンサからの、前記ドアの移動量に比例したパルス信号と、前記ドアをロックするために備えられた電気錠に対しての制御状態とに基づいて警報信号の生成要否を判断するとともに、生成要と判断したときには、前記警報信号を送信対象機器又は装置に対して出力する構成のドアコントローラを備える」旨説明されている（段落０００６）。【０００４】  また、「ドアの開閉動作時の位置検出用として出力されるパルス信号を利用するとともに、ドアコントローラにより制御される電気錠の制御状態によって、ドアコントローラは、警報信号の生成要と判断したときに警報信号を生成してこれを送信する」旨説明されている（段落０００７）。【０００５】  さらに、「電気錠が施錠状態にあるとドアコントローラが認識しているにもかかわらずパルス信号が所定の数だけ計測されることで、不審者が電気錠を例えば強引に解錠、或いは損壊してドアを開放している状況にあると考え、この場合ドアコントローラは不法侵入と確定して警報を生成する」旨等説明されている（段落００１１）。【０００６】  しかしながら、特許文献１記載の発明においては、ドアを開閉する駆動機構のモータに取り付けられたセンサからのドアの移動量に比例したパルス信号の所定数により警報の生成要否を判断するドアコントローラを必要とするものであって、さらに、自動ドアの上方に人の入退出を感知する人感センサと、ドア開閉時に人がドア間に挟まれるのを防止する安全装置のビームセンサとを利用するものではないので、構成が極めて複雑となり安価に提供することができない。【０００７】  また、特許文献２には、「窓ガラス用防犯センサシステムは、室内と室外とを仕切る窓ガラス付近に設置されるものであり、窓ガラスの室外側に第１人体検知可能エリアを有する第１センサと、窓ガラスの室内側に第２人体検知可能エリアに有する第２センサとを備え、窓ガラスを破壊して室内に侵入する不審者を検知するのに有利なまだガラス用の防犯センサシステムを提供する」旨が記載されている。【０００８】  そして、「前記第２センサの第２人体検知可能エリアは、前記窓ガラスが破壊されたとき、窓ガラスの破壊空間部���を介して第１空間に拡張される」旨、また「第１センサは前記第２空間に設置されており、窓ガラスを透過する電磁波に基づいて、窓ガラスで仕切られる第１空間側の前記第１人体検知可能エリアに存在する人体を検知する」旨説明されている。（請求項２及び３）【０００９】  しかしながら、特許文献２記載の発明においては、不法侵入時、自動ドア開放破損にいたる事前において犯人を威嚇するものでなく、また、自動ドアの上方に人の入退出を感知する人感センサと、ドア開閉時に人がドア間に挟まれるのを防止する安全装置のビームセンサとを利用するものではないので、構成が極めて複雑となり安価に提供することができない。【００１０】  また、特許文献３には、「ドアの内側に設けられた内部ユニットと、ドアの外部に設置された外部ユニットとを有し、当該内外のユニットを通して設けられたＣＣＤカメラである撮像手段と、これらユニットとは別の位置に配置された撮像手段により来訪者を撮像する。内部ユニットは人物検知センサのＯＮ動作により撮像を開始したこれら３つの撮像手段から画像情報をモニタし、これら撮像手段のうち、一から画像情報が受信できなくなった時点で、撮像手段の破壊等の悪意があったものと判断して警報音を発生、ストロボライト点灯等を行い、これ以上の悪戯或いは犯行の遂行を断念させることにより、来訪者の善意、悪意を判断して適切な対応をとるよう構成した外部視認システムを提供する」旨記載されている。【００１１】  そして、「・・・不在モードに設定されている装置は、撮像と共に録画を開始する。この場合、内部システムの中央処理部は複数の撮像手段の全てが撮像しているか否かを監視し、若し一部の撮像手段から画像情報が入力しなくなったら、異変ありとして警報を発する。・・・万一センサーが検知した人物が、前記ピッキング犯、悪戯等、犯意若しくは悪意をもって来宅した者である場合には、この表示が出ることによってその者である場合は自己が撮像、録画されていることに危険を感じ、犯罪或いは悪戯を実行することなく直ちに逃走し、犯罪や悪戯は未遂に終わることが期待できる。・・・撮像手段を破壊し、或いはレンズを覆う等して無機能化することは事実上不可能であるため、また複数台撮像装置を同時に破壊或いは無機能化することは事実上不可能であるため、複数の撮像手段から画像情報が途絶えた時点で、異変有りとして警報を発する・・・」旨説明されている。（段落０００９〜００１１）【００１２】  しかしながら、特許文献３記載の発明においては、前記撮像手段（１，２、７，８）が４個も必要となり、撮像手段であるカメラ等の正確な位置設定が要求されるばかりか、防犯装置全体が複雑かつ高価となる。また、自動ドアの上方に人の人退出を感知する人感センサと、ドア開閉時に人がドア間に挟まれるのを防止する安全装置のビームセンサとを利用するものではないので、構成が極めて複雑となり安価に提供することができない。【００１３】  また、特許文献４には、「犯行現場に犯人が侵入したことを検出して、この犯行を断念させる防犯システムであって、犯人が犯行に及ぶと推定される検知エリアに侵入すると検知信号を出力する防犯センサである例えば遠赤外腺センサと、繰返し周期Ｔ０の検出単位時間を有するパルス信号Ｅ１を発信しながら、前記検知信号の入力に対して比較演算した結果、不審行動とみなされる場合には、威嚇信号を出力する威嚇処理Ｐ２を行う防犯制御装置Ａ１と、該威嚇信号の入力に応じて犯人を威嚇する威嚇装置Ｃとを備え、犯人に該当すると予測される行動不審者のみに対して、鍵部が破壊されたりドアが開れる前に、断続的に威嚇して心理的圧力を加え、犯行を断念させることによって、これらの犯行を未然に防ぎ、被害を最小限に留める防犯システム」が記載されている。【００１４】  そして、「待機状態の前記防犯制御装置において、防犯センサの最初の検知信号が入力されると共に警戒状態に移行して前記検出単位信号をカウントするカウント処理を開始し、所定の終了条件に至らない限りは、前記威嚇処理において、各種の犯行の特徴に応じた特定の検出カウント数の検出単位信号が発信されているか判定し、検出カウント数の検出単位信号が発信されている時には、その間に前記防犯センサの検知信号の入力があるかその都度検出し、検知信号の入力が検出されている時には、威嚇信号をその都度出力し、前記威嚇装置によって犯人を断続的に威嚇し、これにより犯行を断念させて未然に防止する」旨説明されている。（請求項１）【００１５】  また、「断続的に威嚇した後にもなお検知エリアに留まる犯人による犯行を防止するために、各種の犯行の特徴に応じた特定の移行カウント数の検出単位信号が発信されているか判定し、移行カウント数の検出単位信号が発信されている時には、威嚇処理を終了して警報処理に移行し、所定の終了条件に至らない限りは、警報処理において、前記防犯センサの検知信号の入力があるか検出し、検知信号の入力が検出された時には、警報信号を出力して、警報装置により犯人に対して警報を発する」旨説明されている。（請求項２）【００１６】  しかしながら、特許文献４記載の発明においては、各種の犯行の特徴に応じた特定の移行カウント数の検出単位信号が発信されているか判定しなければならず、このような判断を行うにあたり別途センサや判別回路が必要となり、装置全体が複雑かつ高価となる。また、自動ドアの上方に人の入退出を感知する人感センサと、ドア開閉時に人がドア間に挟まれるのを防止する安全装置のビームセンサとを利用するものではないので、構成が極めて複雑となり安価に提供することができない。【００１７】
【特許文献１】  特開２００８−２５５６３８号公報
【特許文献２】  特開２００６−０９０７２０号公報
【特許文献３】  特開２００３−１６９３２２号公報
【特許文献４】  特開２００４−２５２７１６号公報
【発明が解決しようとする課題】
【００１８】  本発明は、自動ドアの上方に人の入退出を感知する人感センサと、ドア開閉時に人がドア間に挟まれるのを防止するためドア近辺の人の存在を感知するビームセンサとを利用するもので、これらセンサの感知により威嚇装置及び警報装置を作動させて犯人を退散させるようにし、犯人による自動ドアの損壊を事前に防止するようにした自動ドアの防犯装置を提供することにある。
【課題を解決する手段】
【００１９】  請求項１の発明は、ドア外側の感知エリア内に人が入ったことを感知する人感センサのＯＮ・ＯＦＦ動作により開閉する自動ドアにおいて、自動ドア開閉位置に近接するドア外側面に沿って設けていて解放するドア近辺に人が存在することを感知してドアを解放状態に維持するためのビームセンサを有し、自動ドアモードと防犯モードとを切り替えるモード切替スイッチを設け、前記モード切替スイッチが防犯モードのときにおいて、前記人感センサのＯＮにより作動する威嚇装置及び前記ビームセンサＯＮにより作動する警報装置とからなる自動ドアの防犯装置を提供するものである。
【００２０】この発明においては、自動ドアの上方に人の入退出を感知する人感センサと、ドア開閉時に人がドア間に挟まれるのを防止する安全装置のビームセンサとを利用して、前記センサ感知により威嚇装置及び警報装置を作動させて犯人を退散させることにより、犯人による自動ドアの損壊を事前に防止するようにした自動ドアの防犯装置を提供することができる。
【００２１】  また、このような自動ドアに設置されている既存のセンサを共用することで、別途のセンサや判別装置等を設けることなく装置全体の構成と取付設置が極めて簡単にできる自動ドアの防犯装置を提供することができる。
【発明を実施するための形態】
【００２２】  以下に本発明の一実施形態を図面に基づき説明する。図１は自動ドア外側の感知エリア内に人が入った状態を表す説明図、図２はビームセンサに人が感知した状態を表す説明図、図３はモード切替スイッチの概略説明図、図４は各センサと威嚇モード・警報モードの動作説明図である。
【００２３】  図１及び図２に示すように、自動ドアＡＴ上方には、ドアＤの外側の感知エリア５内に人Ｐが侵入したことを感知する人感センサ２が設けられている。この人感センサ２は、例えば、近赤外線を発する人感センサから感知エリア５下方フロアの検出エリアＥ（図示せず）に光を照射して、これら検出エリアＥからの反射光を受光して、図１及び２のエンジンボックス１に内蔵されてドア開閉駆動モータを作動させるものである（例えば、特開２００８−００８００４参照）。
【００２４】  また、自動ドアＡＴ開閉位置近傍の外側面に沿って左右にビームセンサ３が設けられていて、この自動ドアＡＴは開放したドアＤ近辺に人が存在した場合に、このビームセンサ３がそれを感知して、人が挟まれないようにドアＤを解放状態に維持するようにしている。
【００２５】  図３に示すように、この自動ドアの防犯装置においては、通常自動ドアとして使用する場合の自動ドアモードＸと防犯用として使用する場合の防犯モードＹに切り替えるモード切替スイッチ７を設けている。そして、自動ドアモードＸに切り替えて通常自動ドアとして使用するように人感センサ及びビームセンサに接続して人の出入開閉及びドア近辺に人が存在する場合のドア開放維持する一方、防犯モードＹに切り替えて人感センサ２及びビームセンサ３に接続して、これらの感知により威嚇装置及び／又は警報装置を作動させるようにしている。
【００２６】  図４に示すごとく、一般の自動ドアモードＸに切り替えている場合は、人Ｐが感知エリア５に入ると人感センサ２がＯＮとなり自動ドアＡＴが開放され、人が感知エリア５から出ると人感センサ２がＯＦＦとなり自動ドアＡＴが閉鎖される。また、自動ドアが開放していてこのドア近辺に人が存在していると、人感センサ２がＯＦＦであっても、ビームセンサ３が作動して自動ドアＡＴの開放状態を維持し、ドア間に人が挟まれないよう安全対策がなされている。尚、人がドアＤ間にいなくなりビームセンサがＯＦＦであると自動ドアＡＴは閉鎖される。
【００２７】  一方、モード切替スイッチ７が防犯モードの時、前記人感センサ３がＯＮすると威嚇モードに切り替わり、不信者が感知エリア５内に侵入したとして、フラッシュライト、回転灯、人声、シャッタ音等の周囲に迷惑をかけない程度の威嚇装置を作動させる。
【００２８】  さらに、図２にも示すように、不信者Ｐが感知エリア５内にさらに留まり、ドアＤをこじ開ける等の損壊行為を行うべくドアＤ近傍の外側面に近づくと、前記ビームセンサ３がＯＮとなり警報モードに切り替わり警報装置（図示せず）を作動させる。この警戒装置はサイレン等周辺に鳴り響くような大きな警報と強烈な照明手段により犯人を威嚇すると共に周囲に警報して、犯人を退散させ犯人による自動ドアの損壊行為を未然に防止するようにしている。
【００２９】  尚、４はシリンダ本締錠、６は電気錠であり、本発明ではこれらシリンダ本締錠４及び電気錠６の閉鎖状態を条件に防犯モードの作動が許容されるものではない。
【発明の効果】
【００３０】この発明においては、自動ドアの上方に人の入退出を感知する人感センサと、ドア開閉時に人がドア間に挟まれるのを防止する安全装置のビームセンサとを利用して、前記センサ感知により威嚇装置及び警報装置を作動させて犯人を退散させることにより、犯人による自動ドアの損壊を事前に防止するようにした自動ドアの防犯装置を提供することができる。
【００３１】  また、このように自動ドアに設置されている既存のセンサを共用することで、別途のセンサや判別装置等を設けることなく装置全体の構成と取付設置が極めて簡単にできる自動ドアの防犯装置を提供することができる。
【図面の簡単な説明】
【００３２】
【図１】  自動ドア外側の感知エリア内に人が入った状態を表す説明図
【図２】  ビームセンサに人が感知した状態を表す説明図
【図３】  モード切替スイッチの概略説明図
【図４】  各センサと威嚇モード・警報モードの動作説明図
【符号の説明】１          エンジンボックス
２          人感センサ
３          ビームセンサ
４          シリンダー本締錠
５          人体検知エリア
６          電気錠
７          防犯切替スイッチ
ＡＴ        自動ドア
Ｄ          ドア（左右開閉ドア）
Ｘ          自動ドアモード
Ｙ          防犯モード
【図１】
2012036710.tif 000003
【図２】
2012036710.tif 000004
【図３】
2012036710.tif 000005
【図４】
2012036710.tif 000006